(57)【要約】【課題】低い施工コストで騒音防止が可能な階段構造を提供することを目的とする。【解決方法】階段側板１１を隣接する壁面４０に取付金具２０を介して固定する。この取付金具２０はアッパブラケット２１とロアブラケット２２及び両ブラケット２１，２２間に挟装したゴム弾性材２３から成り、アッパブラケット２１を側板１１に固定し、ロアブラケット２２を壁面４０に固定することにより側板１１がゴム弾性材２３を介して壁面４０に固定される。そして、下階の床面４１と階段とが接触する部位との間にゴム弾性材３０を介在させる。さらに、上階の床面４２と階段とが接触する部位との間にもゴム弾性材３２を介在させる【選択図】図１
2007138426.tif 000002
【特許請求の範囲】
【請求項１】
階段側板を隣接する壁面に弾性材を介して固定したことを特徴とする階段構造。
【請求項２】
下階の床面と階段とが接触する部位との間に弾性材を介在させたことを特徴とする請求項１に記載の階段構造。
【請求項３】
上階の床面と階段とが接触する部位との間に弾性材を介在させたことを特徴とする請求項１に記載の階段構造。
【発明の詳細な説明】
【技術分野】
【０００１】
本発明は階段構造に関し、より詳しくは階段昇降時の騒音低減を可能にする階段構造に関する。
【背景技術】
【０００２】
階段構造の一形式として、特開平９−２２８５９９号公報には、対向する側板間に断面形状が溝形の金属製下地材を固定し、この下地材にゴム弾性材を積層し、側板間に配置される踏み板をゴム弾性材上に積層固定した階段構造が開示されている。
この階段構造によれば、踏み板の振動がゴム弾性材に吸収されるので、階段昇降時の騒音を防止できる。
【特許文献１】特開平９−２２８５９９号公報
【発明の開示】
【発明が解決しようとする課題】
【０００３】
上記した従来の階段構造は、階段の各段毎に金属製下地材とゴム弾性材を取り付けるので、通常の階段構造に比べて部品点数が多くなり、そのため施工コストが高くなる。
【０００４】
本発明はかかる問題点に鑑み、低い施工コストで騒音防止が可能な階段構造を提供することを目的とする。
【課題を解決するための手段】
【０００５】
上記目的を達成するため本発明に係る階段構造は、階段側板を隣接する壁面に弾性材を介して固定する。
そして、好ましくは、下階の床面と階段とが接触する部位との間に弾性材を介在させる。
さらに好ましくは、上階の床面と階段とが接触する部位との間に弾性材を介在させる。
【発明の効果】
【０００６】
本発明に係る階段構造によれば、階段と、階段が設置される壁面や上下階の床面との間に弾性材を介在させたので、階段昇降時に振動が弾性材に吸収され。そのため振動を抑制できるので、階段昇降時の騒音を低減できる。
しかして、本発明によれば、階段と壁面もしくは階段と上下階の床面に弾性材を介在させるので、階段の各段毎に弾性材を取り付ける場合に比べて、部材点数が少なく、施工コストを低減できる。
【発明を実施するための最良の形態】
【０００７】
階段側板を隣接する壁面に取付金具を介して固定する。この取付金具はアッパブラケットとロアブラケット及び両ブラケット間に挟装したゴム弾性材から成り、アッパブラケットを側板に固定し、ロアブラケットを壁面に固定することにより側板がゴム弾性材を介して壁面に固定される。そして、下階の床面と階段とが接触する部位との間にゴム弾性材を介在させる。さらに、上階の床面と階段とが接触する部位との間にもゴム弾性材を介在させる
【実施例１】
【０００８】
以下に本発明の実施例を図面に基づき説明するに、図１及び図２には本発明の一実施例に係る階段構造が示されている。当該階段構造１０は、側板１１、踏み板１２、蹴込み板１３、取付金具２０及び緩衝材３０，３１，３２から構成されている。
【０００９】
側板１１の内面には複数箇所にホゾ穴１１ａが形成されている。隣接するホゾ穴１１ａは一定の段差を保つように配列されている。踏み板１２は左右の側板１１のホゾ穴１１ａに端部を嵌合することにより、側板１１間に架設されている。
【００１０】
踏み板１２の裏面の前端部よりの部位に踏み板１２の長手方向に伸びる細溝１２ａが形成され、この細溝１２ａに蹴込み板１３の上端が嵌着され、蹴込み板１３の下端部が下段の踏み板１２の後端部に釘、ビス等で固着されている。
【００１１】
取付金具２０は図３に詳細を示すように、金属製のプレス成形品であるアッパブラケット２１とロアブラケット２２、断面円形のゴム弾性材２３、ボルト２４及び上下２個のナット２５，２６から構成されている。
【００１２】
アッパブラケット２１は水平面２１ａ、水平面２１ａの一端から上方へ直角に折れ曲がる連結面２１ｂ、連結面２１ｂの上端部から斜め上方へへ折れ曲がるアッパベース面２１ｃ、水平面２１ａの他端から斜め下方へ折れ曲がるロアベース面２１ｄを備えている。
【００１３】
ロアブラケット２２は水平面２２ａと、水平面２２ａの一端から下方へ直角に曲がるベース面２２ｂを備えている。ゴム弾性材２３、アッパブラケット２１の水平面２１ａ及びロアブラケット２２の水平面２２ａにはボルト２４を挿通するための貫通穴が形成されている。
【００１４】
ゴム弾性材２３は、ボルト２４を両ブラケット２１，２２の各水平面２１ａ，２２ａとゴム弾性材２３の貫通穴に挿通し、アッパブラケット２１の水平面２１ａの上側とロアブラケット２２の水平面２２ａの下側からナット２５，２６をボルト２４に締め付けることにより、両水平面２１ａ，２２ａ間に挟装されている。このためアッパブラケット２１とロアブラケット２２の水平面２１ａ，２２ａはゴム弾性材２３が圧縮変形する変形量の範囲内において互いに接離可能に連結されている。
【００１５】
側板１１は取付金具２０のアッパブラケット２１のアッパベース面２１ｃとロアベース面２１ｄをビスで側板１１の底面に固着し、ロアブラケット２２のベース面２２ｂをビスで側板１１に隣接する壁面４０に固着することにより、壁面４０に固定される。これにより側板１１がゴム弾性材２３を介して壁面４０に固定される。また、側板１１の下端部と下階の床面の４１間にはゴム弾性材製の緩衝材３０が介装されている。
【００１６】
側板１１の上端部及び最上段の踏み板１２と上階の床面４２との間にもゴム弾性材製３１の緩衝材が介装されている。さらに最上段の踏み板１２と上階の床面４２の下地材４３との間にもゴム弾性材製の緩衝材３２が介装されている。
【００１７】
本実施例に係る階段構造によれば、階段１０を壁面４０や上下階の床面４１，４２との間にゴム弾性材２３，３０，３１，３２を介在させて設置したので、階段昇降時に振動が弾性材２３，３０，３１，３２に吸収される。そのため振動を抑制できるので、階段昇降時の騒音を低減できる。
【００１８】
図４に取付金具の他の実施例を示す。当該取付金具５０は取付金具２０のロアブラケット２２と同じ構造のロアブラケット２２とアッパブラケットを備えている。また、断面円形のゴム弾性材２３、ボルト２４及び上下２個のナット２５，２６を備えている。そして上下のブラケット２２がボルト２４で回転可能に連結され、ボルト２４にゴム弾性体２３が取り着けられている。
【００１９】
この取付金具５０を用いて階段を設置するには、図５に示すように、取付金具５０のアッパブラケット２２のベース面２２ｂをビスで側板の側面に固着し、ロアブラケット２２のベース面２２ｂをビスで側板１１に隣接する壁面４０に固着する。これにより、側板１１がゴム弾性材２３を介して壁面４０に固定される。
【００２０】
取付金具５０はロアブラケット２２とアッパブラケット２２に同じ構造のものを使用するので、製造コストを低減できる。また、図５には右上がりの階段を例示したが、左上がりの階段の場合にはロアブラケット２２に対し、ボルト２４の周りに１８０度アッパブラケット２２を回転すれれば、右上がりの階段と同様に側板１１を取付金具５０で壁面４０に固定できる。
【図面の簡単な説明】
【００２１】
【図１】本発明の実施例に係る階段構造を模式的に示す側面図である。
【図２】同階段構造の主要部を構成する側板、踏み板、補強桟を模式的に示す正面図である。
【図３】同階段構造の取付金具を示す斜視図である。
【図４】同階段構造の取付金具の他の実施例を示す斜視図である。
【図５】他の実施例に係る取付金具の使用方法を示す説明図である。
【符号の説明】
【００２２】
１０…階段構造、１１…側板、１２…踏み板、１３…蹴込み板、２０，５０…取付金具、２１…アッパブラケット、２２…ロアブラケット、２３，３０，３１，３２…ゴム弾性材、４０…壁面、４１，４２…床面。
【図１】
2007138426.tif 000003
【図２】
2007138426.tif 000004
【図３】
2007138426.tif 000005
【図４】
2007138426.tif 000006
【図５】
2007138426.tif 000007